(57)【要約】  送風装置６０は、吸気口７１から開口部７２を介して吸入した空気をファン６１の回転方向と逆方向に流通させるダクト６４を備える。送風装置６０は、ファン６１が開口部７２に対して垂直方向に配設されており、規制壁部６７が併設して形成されファン６１の領域（幅）に対して狭い開口部７２が形成されたダクト６４を有する。この送風装置６０では、部材を配設可能な配設空間７４が規制壁部６７によりダクト６４の外部に形成されている。
2015111139.tif 000002
【特許請求の範囲】
【請求項１】
吸気口から吸入した気体を排気口へ送風するファンと、前記吸気口から前記ファンへのダクトを有し前記吸気口から開口部を介して吸入した気体をファンの回転方向と逆方向に流通させる流通規制部と、を有する送風装置、を備えた電子機器。
【請求項２】
前記ファンは、前記開口部での前記気体の流通方向と異なる方向に該気体を流通するよう配設されており、
前記流通規制部は、前記ファンが回転により向かう側に前記ファンの領域に対して狭い前記開口部が形成された前記ダクトを有する、請求項１に記載の電子機器。
【請求項３】
前記ファンは、前記開口部に対して垂直方向に配設されている、請求項１又は２に記載の電子機器。
【請求項４】
前記流通規制部は、前記ファンの領域に対して前記開口部を狭くする規制部材が前記開口部に併設して形成された前記ダクトを有する、請求項１〜３のいずれか１項に記載の電子機器。
【請求項５】
前記ファンは、前記開口部に対して垂直方向に配設されており、
前記流通規制部は、前記ファンが前記吸気口側から見て反時計回りに回転して送風する構成において前記開口部を下方に配置したときに、前記吸気口側から見て前記ダクトの左側領域に前記開口部が形成され前記ダクトの右側領域に規制部材が形成されているか、又は、前記流通規制部は、前記ファンが前記吸気口側から見て時計回りに回転して送風する構成において前記開口部を下方に配置したときに、前記吸気口側から見て前記ダクトの右側領域に前記開口部が形成され前記ダクトの左側領域に規制部材が形成されている、請求項１〜４のいずれか１項に記載の電子機器。
【請求項６】
前記流通規制部は、前記電子機器が備える部材を配設可能な配設空間が前記規制部材により前記ダクトの外部に形成されている、請求項４又は５に記載の電子機器。
【請求項７】
前記ファンは、前記開口部での前記気体の流通方向と同じ方向に該気体を流通するよう配設されており、
前記流通規制部は、前記ダクトの一部を閉塞し前記吸入した気体をファンの回転方向と逆方向に流通させる規制部材が形成されている、請求項１に記載の電子機器。
【請求項８】
前記流通規制部は、２以上の前記規制部材が前記ダクトに形成されている、請求項７に記載の電子機器。
【請求項９】
前記流通規制部は、前記規制部材の先端が前記ファン側に傾斜した該規制部材が形成されている、請求項７又は８に記載の電子機器。
【請求項１０】
前記規制部材は、冷却対象としての電子基板である、請求項４〜９のいずれか１項に記載の電子機器。
【請求項１１】
前記流通規制部は、前記開口部を２以上形成した前記ダクトを有する、請求項１〜１０のいずれか１項に記載の電子機器。
【請求項１２】
前記流通規制部は、前記ダクトに配設され、気体を強制的に前記ダクト内へ供給することにより前記吸入した気体をファンの回転方向と逆方向に流通させる１以上の供給部を有する、請求項１〜１１のいずれか１項に記載の電子機器。
【請求項１３】
吸気口から吸入した気体を排気口へ送風するファンと、前記吸気口から前記ファンへのダクトを有し前記吸気口から開口部を介して吸入した気体をファンの回転方向と逆方向に流通させる流通規制部と、を備えた送風装置。
【発明の詳細な説明】
【技術分野】
【０００１】
本発明は、電子機器及び送風装置に関する。
【背景技術】
【０００２】
従来、電子機器としては、吸気ファンと空気流出口とが形成された吸気ダクトと、空気流入口と排気ファンとが形成された排気ダクトとを備え、吸気ダクトから流出した空気が現像剤容器の上を斜めに横ぎる空気流路に沿って流れ、排気ダクトから筐体外へ排出されるものが提案されている（例えば、特許文献１参照）。この機器は、空気流路の上に、定着工程を経て加熱された用紙を載置する用紙排出部が配設されており、この空気流路を流れる空気によって、現像剤容器の加熱を抑制することができるとしている。
【先行技術文献】
【特許文献】
【０００３】
【特許文献１】特開２０１１−２２３３６号公報
【発明の概要】
【発明が解決しようとする課題】
【０００４】
しかしながら、上述した電子機器では、送風の流量や、送風時のファンの騒音については具体的に考慮されていなかった。例えば、ダクトの流路面積が限られている場合などには、ファンの騒音が大きくなる場合があり、冷却性を重視してファンの騒音を許容するか、静粛性を重視して温度上昇を許容しつつファンの回転数を下げるか、などの対応策しかなかった。このように、電子機器では、送風特性及び騒音特性をより向上することが望まれていた。【０００５】
本発明はこのような課題を解決するためになされたものであり、送風特性及び騒音特性をより向上することができる電子機器及び送風装置を提供することを主目的とする。
【課題を解決するための手段】
【０００６】
本発明の電子機器は、
吸気口から吸入した気体を排気口へ送風するファンと、前記吸気口から前記ファンへのダクトを有し前記吸気口から開口部を介して吸入した気体をファンの回転方向と逆方向に流通させる流通規制部と、を有する送風装置、を備えたものである。【０００７】
この電子機器では、流通規制部により、吸気口から開口部を介して吸入した気体をファンの回転方向と逆方向に流通させる。このように、ファンの回転方向と吸入口からの気体の流通方向とを逆方向にすると、ファンの回転方向と吸入口からの気体の流通方向とが同じ方向である場合に比して、送風特性（送風量）及び騒音特性をより向上することができる。ここで、「気体」は、送風する媒体であれば特に限定されないが、空気などが挙げられる。【０００８】
本発明の電子機器において、前記ファンは、前記開口部での前記気体の流通方向と異なる方向に該気体を流通するよう配設されており、前記流通規制部は、前記ファンが回転により向かう側に前記ファンの領域に対して狭い前記開口部が形成された前記ダクトを有するものとしてもよい。こうすれば、開口部を狭めることにより、ファンの回転方向と吸入口からの気体の流通方向とを比較的簡便に逆方向にすることができる。この「ファンの領域に対して狭い」とは、ファンの送風面積に対して狭いものとしてもよいし、ファンの幅に対して狭いものとしてもよい。【０００９】
本発明の電子機器において、前記ファンは、前記開口部に対して垂直方向に配設されているものとしてもよい。このとき、前記流通規制部は、前記ファンが前記気体を巻き込む側と異なる側に前記ファンの領域に対して狭い開口部が形成された前記ダクトを有することが好ましい。なお、「垂直方向」は、おおよそ垂直である場合も含み、例えば、ファンと開口部とのなす角度が８０°以上１００°以下の範囲としてもかまわない。【００１０】
本発明の電子機器において、前記流通規制部は、前記ファンの領域に対して前記開口部を狭くする規制部材が前記開口部に併設して形成された前記ダクトを有するものとしてもよい。この規制部材は、ダクトの壁面に配設された部材としてもよいし、ダクトの壁面により形成されるものとしてもよい。【００１１】
本発明の電子機器において、前記ファンは、前記開口部に対して垂直方向に配設されており、前記流通規制部は、前記ファンが前記吸気口側から見て反時計回りに回転して送風する構成において前記開口部を下方に配置したときに、前記吸気口側から見て前記ダクトの左側領域に前記開口部が形成され前記ダクトの右側領域に規制部材が形成されているか、又は、前記流通規制部は、前記ファンが前記吸気口側から見て時計回りに回転して送風する構成において前記開口部を下方に配置したときに、前記吸気口側から見て前記ダクトの右側領域に前記開口部が形成され前記ダクトの左側領域に規制部材が形成されているものとしてもよい。【００１２】
規制部材を備える態様の本発明の電子機器において、前記流通規制部は、前記電子機器が備える部材を配設可能な配設空間が前記規制部材により前記ダクトの外部に形成されているものとしてもよい。こうすれば、送風特性及び騒音特性をより向上することができると共に、配設空間を有効に利用することができる。【００１３】
本発明の電子機器において、前記ファンは、前記開口部での前記気体の流通方向と同じ方向に該気体を流通するよう配設されており、前記流通規制部は、前記ダクトの一部を閉塞し前記吸入した気体をファンの回転方向と逆方向に流通させる規制部材が形成されているものとしてもよい。こうすれば、ダクトの一部を規制部材で閉塞し、開口部を狭めることにより、ファンの回転方向と吸入口からの気体の流通方向とを比較的簡便に逆方向にすることができる。このとき、前記流通規制部は、２以上の前記規制部材が前記ダクトに形成されているものとしてもよい。こうすれば、ファンの回転方向と吸入口からの気体の流通方向とを逆方向にしやすい。また、前記流通規制部は、前記規制部材の先端が前記ファン側に傾斜した該規制部材が形成されているものとしてもよい。こうすれば、ファンの回転方向と吸入口からの気体の流通方向とを逆方向にしやすい。【００１４】
規制部材を備える態様の本発明の電子機器において、前記規制部材は、冷却対象としての電子基板であるものとしてもよい。こうすれば、冷却対象を利用するから、より構成を簡便にすると共に、送風特性及び騒音特性をより向上することができる。【００１５】
本発明の電子機器において、前記流通規制部は、前記開口部を２以上形成した前記ダクトを有するものとしてもよい。例えば、開口部を対角上に２箇所設けるなどすると、吸入した気体を渦状に流通させやすく好ましい。このとき、前記ファンは、前記開口部での前記気体の流通方向と異なる方向に該気体を流通するよう配設されており、前記開口部は、前記ダクトの側面に形成されているものとしてもよい。【００１６】
本発明の電子機器において、前記流通規制部は、前記ダクトに配設され、気体を強制的に前記ダクト内へ供給することにより前記吸入した気体をファンの回転方向と逆方向に流通させる１以上の供給部を有するものとしてもよい。こうすれば、供給部を利用して、送風特性及び騒音特性をより向上することができる。【００１７】
本発明の電子機器は、部品を基板に実装する処理に関する実装関連処理を実行する実装関連処理ユニットを備えたものとしてもよい。即ち、本発明の電子機器は、実装関連処理ユニットを備えた実装関連処理装置としてもよい。こうすれば、実装関連処理を実行する装置において、送風特性及び騒音特性をより向上することができる。このとき、前記実装関連処理ユニットは、部品を基板に実装する実装処理ユニット及び部品を基板に配設する際に用いる粘性流体を前記基板に塗布する塗布処理ユニットのうち１以上であるものとしてもよい。即ち、本発明の電子機器は、実装処理ユニットを備えた実装処理装置としてもよいし、塗布処理ユニットを備えた塗布処理装置としてもよい。塗布処理ユニットは、例えば、部品を固定する接着剤を基板に塗布するユニットとしてもよいし、はんだペーストを基板に印刷するユニットとしてもよい。【００１８】
本発明の送風装置は、吸気口から吸入した気体を排気口へ送風するファンと、前記吸気口から前記ファンへのダクトを有し前記吸気口から開口部を介して吸入した気体をファンの回転方向と逆方向に流通させる流通規制部と、を備えたものである。この送風装置では、上述した電子機器と同様に、送風特性及び騒音特性をより向上することができる。なお、この送風装置において、上述した電子機器の種々の態様を採用してもよいし、また、上述した電子機器の各機能を実現するような構成を追加してもよい。
【図面の簡単な説明】
【００１９】
【図１】部品実装システム１０の構成の概略を示す説明図。
【図２】実装装置１１の背面と送風装置６０の説明図。
【図３】送風装置６０の分解斜視図。
【図４】別の送風装置６０Ｂの分解斜視図。
【図５】別の送風装置６０Ｃの分解斜視図。
【図６】別の送風装置６０Ｄの分解斜視図。
【図７】別の送風装置６０Ｅの分解斜視図。
【図８】実験例１〜４の流速、流量及び騒音の測定結果の説明図。
【発明を実施するための形態】
【００２０】
本発明の好適な実施形態を図面を参照しながら以下に説明する。図１は、部品実装システム１０の構成の概略を示す説明図である。図２は、実装装置１１の背面と送風装置６０の説明図である。図３は、送風装置６０の分解斜視図である。なお、本実施形態において、左右方向（Ｘ軸）、前後方向（Ｙ軸）及び上下方向（Ｚ軸）は、図１〜３に示した通りとする。また、実装処理とは、部品を基板上に配置、装着、挿入、接合、接着する処理などを含む。
【００２１】
部品実装システム１０は、ＬＡＮ１２に接続され、実装ラインとして構成された実装装置１１と、ＬＡＮ１２に接続され、実装する部品の情報などを管理する管理コンピュータ８０とを備えている。部品実装システム１０は、電子部品（以下「部品」という）を基板１６に実装する実装処理をそれぞれ実施する複数の実装装置１１が上流から下流（図１の左側から右側）に配置されている。なお、図１では、実装装置１１を１台のみ示した。管理コンピュータ８０は、複数の実装装置１１の情報を管理するコンピュータであり、実装装置１１の実装処理に用いられる実装条件情報などを記憶したＨＤＤを備えている。
【００２２】
実装装置１１は、基板１６を搬送する基板搬送ユニット２０と、基板１６を下面側から支持する基板支持ユニット２５と、部品を採取し基板１６上へ移動させるヘッドユニット３５を有する実装ユニット３０とを備えている。また、実装装置１１は、部品を収容したリール５１を有する供給ユニット５０と、筐体内に配設されたユニットの冷却を行う送風装置６０（図２、３参照）と、各種制御を実行する図示しない制御装置とを備えている。基板搬送ユニット２０は、コンベアベルトと固定装置とを備えており、基板１６を左から右へと搬送し、搬送した基板１６を所定位置で固定する。基板支持ユニット２５は、基板１６を下方から支える複数の支持ピンを備えており、基板搬送ユニット２０により搬送、固定された基板１６の裏面側から基板１６を支持する。ヘッド移動ユニット３０は、Ｘ軸スライダやＹ軸スライダ、駆動モータを備え、ヘッドユニット３５をＸＹ平面に移動可能させる。ヘッドユニット３５の下面側には、部品を吸着するノズルを複数有するヘッド４０が装着されている。このヘッドユニット３５は、図示しないＺ軸モータを駆動源とする昇降装置によってＸ軸およびＹ軸方向と直交するＺ軸方向（上下方向）に昇降される。供給ユニット５０は、部品を収容したリール５１が装着されたフィーダ５２を複数有しており、このリール５１から部品をヘッドユニット３５へ供給する。制御装置は、ＣＰＵを中心とするマイクロプロセッサとして構成されている。この制御装置は、基板搬送ユニット２０、基板支持ユニット２５、ヘッド移動ユニット３０、ヘッドユニット３５、供給ユニット５０及び送風装置６０などと電気的に接続されており、これらと信号のやりとりを行う。
【００２３】
送風装置６０は、例えば、ヘッド移動ユニット３０の駆動モータなどの冷却対象周辺の空気を実装装置１１の外へ排気することにより冷却を行う冷却装置として構成されている。送風装置６０は、図２，３に示すように、吸気口７１から吸入した空気を排気口７３へ送風するファン６１と、吸気口７１からファン６１へ形成されたダクト６４とを有している。この送風装置６０は、冷却対象が配設されている下方側から筐体１５の背面側へ空気を送風する。このダクト６４は、吸気口７１から開口部７２を介して吸入した空気をファン６１（ファンブレード６３）の回転方向と逆方向に流通させる流通規制部を構成する。
【００２４】
ファン６１は、開口が矩形である筒状の外枠６１ａと、外枠６１ａの内側に配設されモータの回転軸６２に接続されたファンブレード６３と、を備えている。このファン６１は、ファンブレード６３の旋回に伴い回転軸６２に沿って送風するプロペラファンとして構成されている。ファンブレード６３は、吸気口７１側（ファン６１の上流側）から見て反時計回り（図２，３の排気口７３側からは時計回り）方向に回転して排気口７３側へ送風するよう各ブレードが形成されている。ダクト６４は、図３に示すように、吸気壁部６５と、カバー壁部６６と、規制壁部６７と、を有している。吸気壁部６５は、上下方向に形成された壁部であり吸気口７１を形成する。カバー壁部６６は、ファン６１の前面を覆うフードを形成する。規制壁部６７は、吸気壁部６５からカバー壁部６６の底面側の一部を塞ぐよう形成されている。ダクト６４は、カバー壁部６６により形成されたフードの下面側の一部（図３の筐体右側）が規制壁部６７により閉鎖されることにより、フードの下面側の残りの部分（図３の筐体左側）に開口部７２が形成されている。この開口部７２は、ファン６１の領域（ファン６１の幅）に対して狭い幅の領域として形成されている。即ち、流通規制部は、ファン６１の領域（幅）に対して開口部７２を狭くする規制壁部６７が開口部７２に併設して形成されたダクト６４を有する。この規制壁部６７は、開口部７２の開口面方向に形成されており、吸気壁部６５、カバー壁部６６と共にダクト６４の壁面を形成する。
【００２５】
送風装置６０は、カバー壁部６６により形成されたフードの下面において、ファンブレード６３が回転により向かう側に開口部７２が形成されており、ファンブレード６３が回転により遠ざかる側に規制壁部６７が形成されている（図３の実線矢印参照）。即ち、流通規制部は、ファンブレード６３が空気を巻き込む側に規制壁部６７が形成されており、ファンブレード６３が空気を巻き込む側と異なる側（押し出す側）にファン６１の領域（幅）に対して狭い開口部７２が形成されたダクト６４を有する。送風装置６０では、ファン６１は、開口部７２での空気の流通方向（上方向）と異なる方向（後ろ方向）に空気を流通するよう配設されている。即ち、ファン６１は、開口部７２（の開口面）に対して垂直に配設されている。なお、「垂直方向」は、おおよそ垂直であってもよく、例えば、ファン６１と開口部７２とのなす角度が８０°以上１００°以下の範囲としてもかまわない。また、送風装置６０のダクト６４には、このファン６１が嵌め込まれる空間であるファン装着部６９がその壁部により形成されている。ファン６１がダクト６４のファン装着部６９に嵌め込まれると、ファン装着部６９の壁面がファン６１の外枠６１ａの側面及び前面の一部に当接し、吸気口７１、開口部７２及び排気口７３が機密性を有した状態で連通する。
【００２６】
この送風装置６０は、ファン６１が開口部７２に対して垂直方向に配設されており、ファンブレード６３が吸気口７１側から見て反時計回りに回転して送風するものである。また、ダクト６４は、開口部７２を下方に配置したときに、吸気口７１側から見てダクト６４の左側領域に開口部７２が形成され、ダクト６４の右側領域に規制壁部６７が形成されている。この送風装置６０には、実装装置１１が備える部材を配設可能な配設空間７４が規制壁部６７によりダクト６４の外部に形成されている。この実装装置１１では、筐体１５の上部に配設されているヘッド移動ユニット３０の駆動モータなどの配線が配設空間７４に配設されている。
【００２７】
次に、こうして構成された本実施形態の実装装置１１の動作、まず、実装装置１１の実装処理について説明する。実装装置１１の制御装置は、基板１６への部品の実装開始の指令を受けると、供給ユニット５０のリール５１に収容された部品を所定の採取位置まで移動させ、その採取位置にヘッド４０が来るようにヘッド移動ユニット３０を制御する。続いて、制御装置は、ヘッド４０を下降させ、ヘッド４０の吸着ノズルに部品を吸着させたのち、ヘッド４０を上昇させ、基板１６の所定の配置位置の真上に部品が来るようにヘッド移動ユニット３０を制御する。そして、制御装置は、その位置でヘッド４０を下降させると共に部品を離し、基板１６の所定位置にその部品を配置させる。実装装置１１では、実装処理で発熱したヘッド移動ユニット３０の駆動モータなどを、送風装置６０により換気することで冷却させる。
【００２８】
次に、送風装置６０の動作について説明する。実装装置１１の制御装置は、装置起動ののち、送風装置６０のモータを駆動させる。送風装置６０では、モータが回転すると、吸気口７１側から見て反時計回りにファンブレード６３が回転する（図３の斜線矢印参照）。すると、ファン６１により減圧されて、吸気口７１からダクト６４へ空気が流入する。このとき、開口部７２を介してダクト６４に流れ込んだ空気は、開口部７２及び規制壁部６７の配置関係により、ファンブレード６３の回転方向と逆方向に回転しながらファン６１側へ流れる（図３の一点鎖線の矢印参照）。このように、ファンブレード６３の回転方向と逆方向に回転しながらファン６１へ空気が供給されると、ファンブレード６３の回転方向と吸入口７１からの空気の回転方向とが同じ方向である場合に比して、送風量をより高めると共に、静粛性をより高めることができる。
【００２９】
ここで、本実施形態の構成要素と本発明の構成要素との対応関係を明らかにする。本実施形態のファン６１がファンに相当し、ダクト６４がダクト及び流通規制部に相当し、開口部７２が開口部に相当し、規制壁部６７が規制部材に相当し、配設空間７４が配設空間に相当し、送風装置６０が送風装置に相当し、実装装置１１が電子機器に相当する。
【００３０】
以上説明した送風装置６０では、流通規制部により、吸気口７１から開口部７２を介して吸入した空気をファン６１の回転方向と逆方向に流通させるため、ファンの回転方向と吸入口からの空気の流通方向とが同じ方向である場合に比して、送風特性（送風量）及び騒音特性をより向上することができる。また、送風装置６０は、ファン６１が開口部７２での空気の流通方向と異なる方向（垂直方向）に空気を流通するよう配設されているため、装置のコンパクト化をより図ることができる。また、送風装置６０は、ファン６１の幅に対して狭い幅の開口部７２が形成されたダクト６４を有するため、開口部７２を狭めることにより、ファン６１の回転方向と吸入口７１からの空気の流通方向とを比較的簡便に逆方向にすることができる。更にまた、流通規制部は、開口部７２を狭くする規制壁部６７が開口部７２に併設して形成されたダクト６４を有するため、ダクト６４の壁面を利用して、ファン６１の回転方向と吸入口７１からの空気の流通方向とを比較的簡便に逆方向にすることができる。そして、送風装置６０では、部材を配設可能な配設空間７４が規制壁部６７によりダクト６４の外部に形成されているため、送風特性及び騒音特性をより向上することができると共に、配設空間を有効に利用することができる。
【００３１】
なお、本発明は上述した実施形態に何ら限定されることはなく、本発明の技術的範囲に属する限り種々の態様で実施し得ることはいうまでもない。
【００３２】
例えば、上述した実施形態では、ファン６１は、開口部７２に対して垂直に配設されているものとしたが、開口部７２での流通方向と異なる方向に空気を流通するものとすれば、特にどのような角度で配設されていてもよい。あるいは、ファン６１は、開口部７２に対して平行に配設されているものとしてもよい。このとき、流通規制部は、吸気口から開口部を介して吸入した空気をファンの回転方向と逆方向に流通させるものとすればよい。
【００３３】
上述した実施形態では、ファン６１の領域に対して開口部７２を狭くする規制壁部６７が開口部７２に併設して形成されたダクト６４を有するものとしたが、吸気口７１から開口部７２を介して吸入した空気をファン６１の回転方向と逆方向に流通させるものとすれば、特にこれに限定されない。
【００３４】
上述した実施形態では、部材を配設可能な配設空間７４が規制壁部６７によりダクト６４の外部に形成されているものとしたが、配設空間７４が形成されていないものとしてもよい。こうしても、送風特性及び騒音特性をより向上することができる。また、上述した実施形態では、規制壁部６７は、ダクト６４の壁部により形成されるものとしたが、特にこれに限定されず、規制部材を壁部の部材とは別に配設するものとしてもよい。
【００３５】
上述した実施形態では、下方に開口した吸気口７１と、筐体１５の背面側に開口した排気口７３とを有する送風装置６０として説明したが、冷却対象を冷却するよう送風することができれば、吸気口７１や排気口７３の開口方向は、特に限定されない。
【００３６】
上述した実施形態では、冷却対象周辺の空気を実装装置１１の外へ排気する，即ち筐体１５内を換気することによって冷却対象を冷却する送風装置６０として説明したが、特にこれに限定されず、冷却対象に直接空気を当てることにより冷却対象を冷却する送風装置としてもよい。こうしても、上述した実施形態と同様の効果を得ることができる。
【００３７】
例えば、本発明の送風装置は、上述した実施形態のほかに、以下に示す態様が挙げられる。図４〜７は、それぞれ送風装置６０とは別の送風装置６０Ｂ〜６０Ｅの分解斜視図である。なお、以下の別例において、上述した送風装置６０と同様の構成については、同じ符号を付してその詳細な説明を省略する。
【００３８】
送風装置６０Ｂは、図４に示すように、送風装置６０と左右対称に構成されている以外は、送風装置６０と同様の構造を有している。即ち、送風装置６０Ｂは、ファン６１Ｂが吸気口７１Ｂ側から見て時計回りに回転して送風する構成において開口部７２Ｂを下方に配置したときに、吸気口７１Ｂ側から見てダクト６４Ｂの右側領域に開口部７２Ｂが形成されダクト６４Ｂの左側領域に規制部材６７Ｂが形成されている。こうしても、ダクト６４Ｂが吸気口７１Ｂから開口部７２Ｂを介して吸入した空気をファン６１Ｂの回転方向と逆方向に流通させるため、送風特性及び騒音特性をより向上することができる。
【００３９】
送風装置６０Ｃは、図５に示すように、ファン６１の前面を覆うフードとして形成されたカバー壁部６６Ｃを備え、このカバー壁部６６の側面に２つの開口部７２Ｃが形成されたダクト６４Ｃを備えている。この開口部７２Ｃは、カバー壁部６６Ｃの対角上に形成されている。この開口部７２Ｃは、吸気口でもある。また、ダクト６４Ｃは、フードの下面において、ファンブレード６３が回転により向かう側に開口部７２Ｃが形成されており、ファンブレード６３が回転により遠ざかる側に規制壁部６７Ｃが形成されている。即ち、流通規制部は、ファンブレード６３が空気を巻き込む側に規制壁部６７Ｃが形成されたダクト６４Ｃを有する。また、流通規制部は、ファンブレード６３が空気を巻き込む側と異なる側（押し出す側）にファン６１の領域（幅）に対して狭い開口部７２Ｃが形成されたダクト６４Ｃを有する。こうしても、ダクト６４Ｃが吸気口である開口部７２Ｃを介して吸入した空気をファン６１の回転方向と逆方向に流通させるため、送風特性及び騒音特性をより向上することができる。また、ダクト６４Ｃは、開口部７２Ｃを対角上に２箇所有するため、吸入した空気を渦状に流通させやすく好ましい。
【００４０】
送風装置６０Ｄは、図６に示すように、開口が矩形である筒状の壁部６５Ｄと、壁部６５Ｄの外周縁に、開口部７２Ｄ側に配設された規制部材６７Ｄとを有するダクト６４Ｄを備えている。この開口部７２Ｄは、吸気口でもある。送風装置６０Ｄでは、ファン６１は、開口部７２Ｄでの流通方向と同じ方向に空気を流通するよう配設されており、流通規制部は、ダクト６４Ｄの一部を閉塞し吸入した空気をファン６１の回転方向と逆方向に流通させる規制部材６７Ｄが形成されている。このように、ダクト６４Ｄが開口部７２Ｄを介して吸入した空気をファン６１の回転方向と逆方向に流通させるため、送風特性及び騒音特性をより向上することができる。また、ダクトの一部を規制部材６７Ｄで閉塞し、開口部７２Ｄを狭めることにより、ファン６１の回転方向と吸入口からの気体の流通方向とを比較的簡便に逆方向にすることができる。このダクト６４Ｄには、２つの規制部材６７Ｄが形成されている。このため、ファン６１の回転方向と吸入口からの空気の流通方向とを逆方向にしやすい。また、規制部材６７Ｄは、その先端がファン６１側に傾斜して形成されている。このため、送風装置６０Ｄでは、ファンの回転方向と吸入口からの気体の流通方向とを逆方向にしやすい。なお、この送風装置６０Ｄにおいて、規制壁部６７Ｄは、１以上形成されていればよいし、その先端がファン６１側に傾斜していなくてもよい。また、例えば、規制部材６７Ｄは、冷却対象としての電子基板であるものとしてもよい。こうすれば、冷却対象を利用するから、より構成を簡便にすると共に、送風特性及び騒音特性をより向上することができる。
【００４１】
送風装置６０Ｅは、図７に示すように、開口が矩形である筒状の壁部６５Ｅと、壁部６５Ｅの外周側に配設され空気を強制的にダクト６４Ｅ内へ供給することにより吸入した空気をファン６１の回転方向と逆方向に流通させる供給部６７Ｅとを有するダクト６４Ｅを備えている。供給部６７Ｅは、例えば、ファンが内蔵されていてもよいし、ファン６１の下流から送風を取り入れる構造としてもよい。この供給部６７Ｅは、壁部６５Ｅの対角上に配設されている。この送風装置６０Ｅでは、開口部７２Ｅは吸気口でもあり、ファン６１は開口部７２Ｅでの流通方向と同じ方向に空気を流通するよう配設されている。こうしても、ダクト６４Ｅが吸気口である開口部７２Ｅを介して吸入した空気をファン６１の回転方向と逆方向に流通させるため、送風特性及び騒音特性をより向上することができる。また、ダクト６４Ｅは、供給部６７Ｅを対角上に２箇所有するため、吸入した空気を渦状に流通させやすく好ましい。なお、送風装置６０Ｅにおいて、供給部６７Ｅを１以上備えるものとすればよい。
【００４２】
上述した実施形態では、本発明の電子機器は、部品を基板１６に実装する実装処理ユニット（基板搬送ユニット２０、基板支持ユニット２５、ヘッド移動ユニット３０及びヘッドユニット３５）を備えた実装装置１１として説明したが、部品を基板に実装する処理に関する実装関連処理を実行する実装関連処理ユニットを備えたものとしてもよい。この実装関連処理ユニットは、部品を基板に配設する際に用いる粘性流体を基板に塗布する塗布処理ユニットであるものとしてもよい。即ち、電子機器は、塗布処理ユニットを備えた塗布処理装置としてもよい。塗布処理ユニットは、例えば、部品を固定する接着剤を基板に塗布するユニットとしてもよいし、はんだペーストを基板に印刷するユニットとしてもよい。
【００４３】
あるいは、本発明の電子機器は、冷却対象を有する機器であれば特にこれに限定されず、例えば、電子機器は、電子基板を有するものとしてもよく、具体的には、パソコンなどの情報機器としてもよいし、テレビやレコーダなどの映像機器としてもよい。また、送風装置を備えた電子機器としたが、特にこれに限定されず、送風装置としてもよい。
【実施例】
【００４４】
以下には、図３に示した送風装置６０を作製して測定した実験結果を実験例として説明する。なお、実験例４が本発明の実施例に相当し、実験例１〜３が比較例に相当する。【００４５】
（送風装置の作製及び評価方法）
実装装置は、実際の実装装置のサイズの空洞を有する筐体を用意し、これを装置に見立てた。送風装置は、吸気口から流入した空気の流れが垂直に変わるよう、吸気口とファン６１の回転軸とが垂直になるようファンとダクトとを配置した。送風装置は、この吸気口７１の半分を遮蔽板にて遮蔽しこれを規制壁部とした。送風装置は、吸気口側から見て反時計回りにファンブレードを回転すると、排気口へ送風する構成とし、筐体側面に排出口を設けた。【００４６】
（実験例１〜４）
ダクトを設けずにファンのみで筐体に送風する構成を実験例１とした。また、遮蔽板を設けずに、ファン及びダクトを設けた構成を実験例２とした。また、遮蔽板を吸気口の左側に配置し、開口を右側とした構成を実験例３とした。この場合、ファンの回転方向と吸入した空気の流通回転方向とが同じになる。また、遮蔽板を吸気口の右側に配置し、開口部を左側とした構成を実験例４とした。この場合、ファンの回転方向と吸入した空気の流通回転方向とが逆になる。【００４７】
（評価方法）
送風装置の評価は、以下のように行った。筐体側面に設けた排出口に風速センサーを５つ設け、この測定結果を平均して送風装置の風量評価とした。また、ダクトの裏側に騒音センサーを配設し、送風装置の騒音評価とした。実験例１〜４のファンを同じ回転数で回転させ、風量及び騒音レベルを測定した。【００４８】
（結果と考察）
図８は、実験例１〜４の平均流速（ｍ／ｓ）、平均流量（ｍ3／ｍｉｎ）、騒音レベル（ｄＢ（Ａ））の測定結果の説明図である。図８に示すように、ファンの回転方向と吸入した空気の流通回転方向とが逆になる実験例４では、実験例３に比して平均流速、平均流量及び騒音レベルがより良好であることがわかった。また、実験例４では、実験例２に比して騒音レベルがより良好であることがわかった。実験例４では、実験例２，３に比して４ｄＢ程度低減することができることがわかった。４ｄＢはエネルギーでいうと２．５倍程度であるから、実験例４では、騒音改善の効果が大きいことがわかった。
【産業上の利用可能性】
【００４９】
本発明は、送風による冷却を要する電子機器などに利用可能である。
【符号の説明】
【００５０】
１０  部品実装システム、１１  実装装置、１２  ＬＡＮ、１５  筐体、１６  基板、２０  基板搬送ユニット、２５  基板支持ユニット、３０  ヘッド移動ユニット、３５  ヘッドユニット、４０  ヘッド、５０  供給ユニット、５１  リール、５２  フィーダ、６０，６０Ｂ〜６０Ｅ  送風装置、６１，６１Ｂ  ファン、６１ａ  外枠、６２  回転軸、６３，６３Ｂ  ファンブレード、６４，６４Ｂ〜６４Ｅ  ダクト、６５  吸気壁部、６５Ｄ，６５Ｅ  壁部、６６，６６Ｃ  カバー壁部、６７，６７Ｂ，６７Ｃ  規制壁部、６７Ｄ  規制部材、６７Ｅ  供給部、６９  ファン装着部、７１，７１Ｂ  吸気口、７２，７２Ｂ〜７２Ｅ  開口部、７３  排気口、７４  配設空間、８０  管理コンピュータ。
【図１】
2015111139.tif 000003
【図２】
2015111139.tif 000004
【図３】
2015111139.tif 000005
【図４】
2015111139.tif 000006
【図５】
2015111139.tif 000007
【図６】
2015111139.tif 000008
【図７】
2015111139.tif 000009
【図８】
2015111139.tif 000010
【国際調査報告】
2015111139.tif 000011
2015111139.tif 000012
2015111139.tif 000013
2015111139.tif 000014